(57)【特許請求の範囲】
【請求項１】
エンボスが施されたプラスチックのカードを集積するカード集積装置において；
前記カードを取り込むための取込手段と；
前記取り込まれた該カードを種類毎に振り分ける振分手段と；
前記振り分けられたカードを集積する集積部と；
前記集積されたカードを集積された状態で保持するための保持手段とを備え；
前記振分手段は前記カードを第１の種類と第２の種類とに振り分け、前記集積部は前記第１の種類のカードを鉛直方向に立てて集積する第１の集積部と、前記第２の種類のカードを鉛直方向に立てて集積する第２の集積部とを有し；
前記振分手段は、前記カードを種類に応じて前記第１の集積部または第２の集積部に水平方向に押出すプッシャーを含んで構成され；
前記保持手段は、前記第１の集積部に押出されたカードを、前記プッシャー側に戻らないように係止するカードストッパと、前記第１の集積部に集積されたカードを前記カードストッパとの間に挟持するサポート手段と、前記サポート手段及び鉛直方向に立てられた前記カードが載置される底板であって前記プッシャーが前記カードを押出す方向に延びる間隙が形成された底板とを有し；
前記サポート手段は、前記底板を間に挟んで設けられた摺動板であって前記底板に付勢した摺動板に対して、前記間隙が延びる方向に移動可能に取り付けられることにより、前記挟持されたカードを前記カードストッパの方向に付勢しないように構成された；
カード集積装置。
【請求項２】
前記取込手段は、前記カードを搬送する駆動ローラと、
前記駆動ローラに対向して配置され、該カードを前記駆動ローラに付勢する従動ローラと、
前記駆動ローラに搬送された前記カードを前記集積部に押し込む押込爪とを含んで構成され；
前記押込爪は、前記駆動ローラと前記従動ローラとに挟持された前記カードに対して前記従動ローラの側に配置されると共に、前記駆動ローラと同一方向に回転するように構成され；
前記駆動ローラと前記従動ローラとに挟持されて搬送された前記カードが前記集積部に取り込まれた後に前記駆動ローラ及び前記押込爪を逆回転させるように構成された；
請求項１に記載のカード集積装置。
【請求項３】
前記押込爪は、前記搬送されたカードを前記振分手段に確実に受け渡す受渡手段を構成する；
請求項２に記載のカード集積装置。
【請求項４】
前記カードストッパは、前記底板から突出すると共に前記底板からの突出の鉛直上方にも対向して設けられ、前記サポート手段の側に倒れる方向に回動可能に構成された；
請求項１乃至請求項３のいずれか１項に記載のカード集積装置。
【請求項５】
前記保持手段は、取り込まれた前記カードが前記プッシャーで押出される前に倒れないように保持する仮保持手段を有し；
前記仮保持手段は、前記プッシャーに押された前記カードにより回動するように構成された；
請求項１乃至請求項４のいずれか１項に記載のカード集積装置。
【請求項６】
請求項１乃至請求項５のいずれか１項に記載のカード集積装置と；
前記カードを発行するカード発行手段と；
前記発行されたカードの種類を識別するカード識別手段とを備え；
前記振分手段は、前記カード識別手段の識別した種類毎に前記カードを振り分けるように構成された；
カード発行システム。
【発明の詳細な説明】
【０００１】
【発明の属する技術分野】
本発明は、カード集積装置に関し、特に凹凸が付されたカードを集積するカード集積装置およびカード発行システムに関するものである。
【０００２】
【従来の技術】
病院で用いられる診察カード、銀行で用いられるキャッシュカード等には、そのカードの利用者を認識するためのコード番号が、プラスチックカードに浮き上がらせて凸部として形成されているのが通常である。このようにプラスチックカードに凸部を付すことを通常エンボスという。このようなカードは、カードの種別（病院名、銀行名）等が表面に印刷され、裏面に磁気ストライプが形成されたものである。このようなカードを発行する装置としては、プラスチックのカードに必要な情報を磁気記録し、利用者のコード番号、氏名等をエンボスするカード発行装置があった。
【０００３】
【発明が解決しようとする課題】
しかし、このようなカード発行装置では、発行されたカードは、カード発行装置から１枚ずつ放出される。このため、大量のカードを発行する場合には、カードが散乱し紛失する場合があった。また、磁気記録やエンボスを失敗したカード（以下、リジェクトカードという。）は、正しく発行されたカード（以下、正常カードという。）と一緒に放出されるので、誤ってリジェクトカードを利用者に渡してしまう場合があった。
【０００４】
そこで、本発明は、発行されたカードを種類毎に振分け、集積することで、カードの発行が簡便となるカード集積装置およびカード発行システムを提供することを目的とする。
【０００５】
【課題を解決するための手段】
上記目的を達成するために、請求項１に係る発明によるカード集積装置１は、例えば図３に示すように、エンボスが施されたプラスチックのカードを集積するカード集積装置において；前記カードを取り込むための取込手段４０と；前記取り込まれた該カードを種類毎に振り分ける振分手段６０と；前記振り分けられたカードを集積する集積部６と；前記集積されたカードを集積された状態で保持するための保持手段６とを備える。
【０００６】
このように構成すると、取込手段４０と、振分手段６０とを備えるので、前記カードを取り込み、取り込まれた該カードを種類毎に振り分けることができ、集積部６と、保持手段６とを備えるので、前記振り分けられたカードを集積し、前記集積されたカードを集積された状態で保持することができるので、発行されたカードを種類毎に振分け、集積し、保持することで、カードの発行が簡便となるカード集積装置を提供することができる。
【０００７】
請求項２に係る発明によるカード集積装置１は、請求項１に記載のカード集積装置１において、例えば図６に示すように、取込手段４０は、前記カードを搬送する駆動ローラ４５と；駆動ローラ４５に対向して配置され、該カードを駆動ローラ４５に付勢する従動ローラ４７と、駆動ローラ４５に搬送されたカードを集積部６に押し込む押込爪５１とを含んで構成され；押込爪５１は、駆動ローラ４５と従動ローラ４７とに挟持されたカードに対して従動ローラ４７の側に配置されると共に、駆動ローラ４５と同一方向に回転するように構成され；駆動ローラ４５と従動ローラ４７とに挟持されて搬送されたカードが集積部６に取り込まれた後に駆動ローラ４５及び押込爪５１を逆回転させるように構成されている。
【０００８】
このように構成すると、取込手段４０は、駆動ローラ４５と、従動ローラ４７とを含んで構成されているので、前記カードを駆動ローラ４５と従動ローラ４７とで挟持して取り込むことができる。
【０００９】
請求項３に係る発明によるカード集積装置１は、請求項２に記載のカード集積装置１において、押込爪５１は、前記搬送されたカードを振分手段６０に確実に受け渡す受渡手段５０を構成する。
【００１０】
このように構成すると、取込手段４０は、受渡手段５０を備えるので、駆動ローラ４５と従動ローラ４７とで搬送されたカードを振分手段６０に確実に受け渡すことができる。
【００１１】
また、請求項１に係る発明によるカード集積装置１は、例えば図５に示すように、振分手段６０は前記カードを第１の種類と第２の種類とに振り分け、集積部６は前記第１の種類のカードを鉛直方向に立てて集積する第１の集積部６ａと、前記第２の種類のカードを鉛直方向に立てて集積する第２の集積部６ｂとを有し；振分手段６０は、前記カードを種類に応じて第１の集積部６ａまたは第２の集積部６ｂに水平方向に押出すプッシャー７１を含んで構成されている。
【００１２】
このように構成すると、振分手段６０は前記カードを第１の種類と第２の種類とに振り分け、集積部６は前記第１の種類のカードを鉛直方向に立てて集積する第１の集積部６ａと、前記第２の種類のカードを鉛直方向に立てて集積する第２の集積部６ｂとを有し、振分手段６０は、前記カードを種類に応じて第１の集積部６ａまたは第２の集積部６ｂに水平方向に押出すプッシャー７１を含んで構成されているので、発行されたカードを種類毎に振分け、各々集積することで、カードの発行が簡便となるカード集積装置を提供することができる。
【００１３】
また、請求項１に係る発明によるカード集積装置１は、保持手段６は、第１の集積部６ａに押出されたカードを、プッシャー７１側に戻らないように係止するカードストッパ６５、６７と、第１の集積部６ａに集積されたカードをカードストッパ６５、６７との間に挟持するサポート手段７２と、サポート手段７２及び鉛直方向に立てられたカードが載置される底板６ｇであってプッシャー７１がカードを押出す方向に延びる間隙６ｈが形成された底板６ｇとを有し；サポート手段７２は、底板６ｇを間に挟んで設けられた摺動板７３であって底板６ｇに付勢した摺動板７３に対して、間隙６ｈが延びる方向に移動可能に取り付けられることにより、前記挟持されたカードをカードストッパ６５、６７の方向に付勢しないように構成されている。
【００１４】
また、保持手段６は、第１の集積部６ａが、第２の集積部６ｂよりもカード集積量が多いように構成され、少ない集積量の第２の集積部６ｂのサポート手段７５は、カードを付勢するように構成されていてもよい。
【００１５】
また、保持手段６は、作動開始時にサポート手段７２が所定の位置あることを検知するサポート位置検出手段７７を備えるようにしてもよい。
【００１６】
また、保持手段６は、前記取り込まれたカードがプッシャー７１で押出される前に倒れないように保持する仮保持手段６２を備えるとよい。
【００１７】
上記目的を達成するために、請求項６に係る発明によるカード発行システム１００は、例えば図２に示すように、請求項１乃至請求項５のいずれか１項に記載のカード集積装置１と；前記カードを発行するカード発行手段１０１と；前記発行されたカードの種類を識別するカード識別手段１０５、１０６とを備え；前記振分手段６０は、カード識別手段１０５、１０６の識別した種類毎に前記カードを振り分けるように構成されている。
【００１８】
このように構成すると、カード集積装置１と、カード発行手段１０１と、カード識別手段１０５、１０６とを備えているので、発行されたカードを種類毎に振分け、集積することで、カードの発行が簡便となるカード発行システムを提供することができる。
【００１９】
【発明の実施の形態】
以下、本発明の実施の形態について、図面を参照して説明する。なお、各図において互いに同一あるいは相当する部材には同一符号を付し、重複した説明は省略する。
【００２０】
図１は、本発明の実施の形態に係るカード発行システム１００の外観図である。カード発行システム１００は、カードを発行するカード発行手段としてのカード発行装置１０１と、カード発行装置１０１に取り付けられたカード集積装置１とを含んで構成される。本実施の形態では、カード発行装置１０１は、病院で用いられる診察カードを発行するものである。使用するカードは、エンボスを施して使用するプラスチックカードである。カード発行装置１０１は、表側に病院名が、裏側に磁気ストライプが形成された生カードに、所定の磁気情報を書き込み、磁気エンコードが正常に書き込まれたことを条件に患者の氏名、コードをエンボスして放出口１０２（図２参照）から放出するものである。書き込まれる所定の磁気情報とは、例えば氏名、生年月日などの個人情報である。
【００２１】
カード集積装置１は、カード発行装置１０１に脱着可能に構成され、カード発行装置１０１の放出口１０２とカード集積装置１の後述の取込口６１（図５参照）とが対向して配置されている。
【００２２】
また、カード発行装置１０１は、カードを発行する際に、磁気情報の書込不良が生じた場合には、氏名等をエンボスせずにカードを放出口１０２（図２参照）から放出し、磁気情報の書き込みは正常であったが氏名等のエンボスに不良があった場合には、カードをそのまま放出口１０２から放出する。以下、これらの不良カードをリジェクトカード、また正常に発行されたカードを正常カードという。
【００２３】
図２のブロック図を参照して、カード発行装置１０１について説明する。カード発行装置１０１は、制御部１０３と、生カード集積部１０４と、発行されたカードの種類を識別するカード識別手段としてのリーダライタ１０５、エンボス処理部１０６と、放出口１０２と、インターフェース１０７と、操作部１０８、表示部１０９とを含んで構成されている。制御部１０３は、各種信号の入出力を行ないカード発行システム１００全体を制御する。生カード集積部１０４は、生カードを収納するものである。
【００２４】
リーダライタ１０５は、生カードに所定の磁気情報を書き込み、さらに書き込んだ磁気情報を読み出して、正常に磁気情報が書き込まれたか否かを識別できるものであり、この識別結果を制御部に出力するように構成されている。エンボス処理部１０６は、リーダライタ１０５で磁気情報が正常に書き込まれた正常カードにエンボスを施す。さらにエンボス処理部１０６は、カードに正常にエンボスが施されたか否かを識別できるものであり、この識別結果を制御部に出力するように構成されている。カード発行装置１０１は、リーダライタ１０５、エンボス処理部１０６から出力された識別結果により、正常カードとリジェクトカードとを識別することができるように構成されている。本実施の形態では、リーダライタ１０５とエンボス処理部１０６の識別部が本発明のカード識別手段に相当する、但し、磁気情報とエンボスが正しく書き込まれまた形成されていることの両方を識別できる一つの識別手段を備えるものとしてもよい。
【００２５】
放出口１０２は、正常カード及びリジェクトカードをカード発行装置１０１外に放出するものである。操作部１０８は、例えばキーによりカード発行システム１００を操作できるものである。表示部１０９は、例えば発行システム１００で発生したエラーや操作情報を表示できるものであり、典型的には液晶パネルを用いた表示手段である。
【００２６】
カード発行システム１００は、カード発行装置１０１とカード集積装置１とがインターフェース１０７を介して接続され、リーダライタ１０５、エンボス処理部１０６から出力された識別結果をカード集積装置１に出力できるように構成されている。これにより、カード集積装置１は、カード発行装置１０１から送信された情報に基づいて、正常カードとリジェクトカードとに振り分けることができる。また、カード発行システム１００は、外部装置例えばパソコン１１０とインターフェース１０７を介して接続可能であり、パソコン１１０により遠隔操作が可能に構成するとよい。
【００２７】
図３、図４を参照して、カード集積装置１の構成について説明する。図３は、図１中Ａ−Ａ方向からの矢視図であり、カード集積装置１の正面図である。図４は、蓋部９を開けた状態のカード集積装置１の平面図である。カード集積装置１は、水平に設置される本体部２と、本体部２の鉛直方向上方をカバーする蓋部９から構成されている。蓋部９の内側には、集積されたカードがせり上がらないように整列させる凸部９２が形成されている。また蓋部９は、ヒンジにより開閉可能に本体部２に取り付けられ、ヒンジと反対の側には、錠９１が取り付けられ、不図示の鍵無しに蓋部９が開けられないようにロックできる。錠９１は、施錠レバー９１ａを含んで構成され、施錠レバー９１ａが、後述のスタッカボックス部６の右側板６ｂに形成された穴９１ｂに係合することにより、蓋部９が開かないようにロックできる。これによりカード集積装置１は、蓋部９が開けられ、内部に集積されたカードが勝手に取り出されることがないように、鍵により管理することができる。さらに、蓋部９には、集積されたカードを視認できるように形成された窓部９３が形成されている。
【００２８】
本体部２は、ベース部３と、ベース部３に載置された駆動ベース部４と、駆動ベース部４に水平に載置された振り分けられたカードを集積する集積部としてのスタッカボックス部６とを含んで構成されている。またスタッカボックス部６は、集積されたカードを集積された状態で保持するための保持手段でもある。またベース部３の下部には、カード発行装置１０１の放出口１０２（図２参照）と、カード集積装置１の後述の取込口６１（図５参照）を同一高さとするためのアジャストフット３１が取り付けられている。
【００２９】
駆動ベース部４には、カードを取り込むための取込手段としてのカード取込機構４０と、取り込まれたカードを種類毎に振り分ける振分手段としてのカード振分集積機構６０とが設けられている。カード集積装置１は、カード発行装置１０１から発行されたカードを、カード取込機構４０によりスタッカボックス部６に取り込み、スタッカボックス部６に取り込まれたカードを、カード振分集積機構６０によって正常カードとリジェクトカードとに振り分けて集積するように構成されている。
【００３０】
図５の模式的斜視図を参照して、スタッカボックス部６について説明する。スタッカボックス部６は、第１の種類のカードとしての正常カードを鉛直方向に立てて集積する第１の集積部としての正常カード集積部６ａと、第２の種類のカードとしてのリジェクトカードを鉛直方向に立てて集積する第２の集積部としてのリジェクトカード集積部６ｂとを有している。正常カード集積部６ａとリジェクトカード集積部６ｂとは、同様に構成してもよいが、好ましくは、正常カード集積部６ａは、リジェクトカード集積部６ｂよりもカード集積量が多いように構成することが好ましい。またスタッカボックス部６は、右フレーム６Ｒ、左フレーム６Ｌを含んで構成され、正面板６ｃ、右側板６ｄ、裏板６ｅ、左側板６ｆ、底板６ｇで形成された箱型の形状である。また、右フレーム６Ｒと左フレーム６Ｌは、底板６ｇに間隙６ｈを開けて取り付けられている。さらに右側板６ｄには、正常カード集積部６ａとリジェクトカード集積部６ｂとの境界に、カードを取り込むためのスリット形状の取込口６１が形成されている。取込口６１の大きさは、取り込むカードに比べてやや大きめとすることが好ましい。
【００３１】
図６、図７及び図８を参照して、カード取込機構４０について説明する。図６はカード取込機構４０を説明するための構造図であり、図７はカード取込機構４０の駆動を説明するための説明図である。また図８はカード取込機構４０の概略を説明する斜視図である。カード取込機構４０は、カードを搬送する駆動ローラとしての取込ローラ４５と、取込ローラ４５に対向して配置され、カードを取込ローラ４５に付勢する従動ローラ４７とを含んで構成されている。図８に示すように、カード取込機構４０は、取込ローラ４５と従動ローラ４７とが取込口６１の近傍に来るように設置される。
【００３２】
図６に示すように、取込ローラ４５は、スタッカボックス部６の取込口６１と平行に回転可能に取り付けられた、鉛直方向に配置された取込ローラ軸４４の上部に固着されている。また取込ローラ軸４４の下端には、タイミングプーリ４６が固着されている。取込ローラ４５と対向する位置には、取込ローラ軸４４と平行方向に回転軸を持つ従動ローラ４７が右側板６ｄ（図５参照）に回転可能に取り付けられている。さらに従動ローラ４７は、取込ローラ４５方向に板バネ４８により付勢されている。これによりカード取込機構４０は、カードのおよそ上部を取込ローラ４５と従動ローラ４７とで挟持して、取込口６１に搬送することができる。
【００３３】
またカード取込機構４０は、搬送されたカードをカード振分集積機構６０に確実に受け渡す受渡手段としての押込機構５０（図８参照）が備えられている。押込機構５０は、押込爪５１、押込爪軸４９、圧縮コイルバネ５２、タイミングプーリ５５とを含んで構成される。押込爪軸４９は、従動ローラ４７のおよそ下方に取込ローラ軸４４と平行に回転可能に取り付けられている。押込爪５１は、押込爪軸４９の上端に回転可能に取り付けられており、回転によりカードをスタッカボックス部６内に押し込むことができる。
【００３４】
また押込爪軸４９の下側には、タイミングプーリ５５が固着されている。さらに、タイミングプーリ５５と押込爪５１の間には、押込爪軸４９を芯にして圧縮コイルバネ５２が巻回されている。押込爪５１は、圧縮コイルバネ５２により、押込爪軸４９の軸方向に付勢力がかけられている。押込爪５１は、この付勢力による押込爪軸４９との摩擦力で、押込爪軸４９の回転に従動して回転し、押込爪５１の回転を止めようとする力が一定値以上になると押込爪軸４９が空転することで停止する。即ち押込爪５１は、右側板６ｂに当接した際に押込爪軸４９が空転して停止するように構成されている。
【００３５】
また、駆動ベース部４には、取込ローラ駆動モータ４２が、出力軸が取込ローラ軸４４と平行になるように、モータブラケット４１を介して取り付けられている。取込ローラ駆動モータ４２の出力軸には、タイミングプーリ４３が取り付けられている。
【００３６】
さらに図７に示すように、カード取込機構４０は、取込ローラ駆動モータ４２の出力軸に固着されたタイミングプーリ４３と、取込ローラ軸４４に固着されたタイミングプーリ４６と、押込爪軸４９に固着されたタイミングプーリ５５とにはタイミングベルト５３が巻回され、テンションプーリ５４により張力が加えられている。取込ローラ４５と押込爪５１とは、取込ローラ駆動モータ４２により、タイミングベルト５３を介して、取込ローラ駆動モータ４２の回転方向と同一方向に回転させることができる。また、取込ローラ４５、従動ローラ４７の上方の取込口６１の近傍には、カードを検出するセンサ５７が取り付けられている。カード集積装置１は、センサ５７により、カードがスタッカボックス部６に取り込まれたことを監視できる。
【００３７】
図５、図９を参照して、スタッカボックス部６についてさらに説明する。スタッカボックス部６は、正常カード集積部６ａに、鉛直方向に立った状態で水平方向に押出されたカードを、後述のプッシャー７１側に戻らないように係止するカードストッパとしての第１のカードストッパ６５、６７と、正常カード集積部６ａに集積されたカードを第１のカードストッパ６５、６７との間に挟持するサポート手段としての第１のバックアッププレート７２とを備える。さらに、第１のバックアッププレート７２は、挟持されたカードをカードストッパ６５、６７の方向に付勢しないように構成されている。さらに、スタッカボックス部６は、リジェクトカード集積部６ｂに押出されたカードを、プッシャー７１側に戻らないように係止する第２のカードストッパ６４、６６と、リジェクトカード集積部６ｂに集積されたカードを第２のカードストッパ６４、６６との間に挟持する第２のバックアッププレート７５とを備える。第２のバックアッププレート７５は、挟持されたカードをカードストッパ６４、６６の方向に付勢するように構成する。
【００３８】
第１のカードストッパ６５は、スタッカボックス部６の取込口６１近傍の底板６ｇから突出するように取り付けられている。また、第１のカードストッパ６７は、第１のカードストッパ６５の鉛直上方のスタッカボックス部６の取込口６１の上部近傍に、第１のカードストッパ６５と対向して取り付けられている。また第２のカードストッパ６４、６６は、取込口６１の中心軸に対して第１のカードストッパ６５、６７と対象にそれぞれ取り付けられている。さらに、第１のカードストッパ６５、６７と第２のカードストッパ６４、６６は、左側板６ｆ側にも同様に取り付けられている。第１のカードストッパ６５、６７は、第１のバックアッププレート７２側に倒れる方向に回動可能であり、第２のカードストッパ６４、６６は、第２のバックアッププレート７５側に倒れる方向に回動可能である。さらに、第１のカードストッパ６５、６７と第２のカードストッパ６４、６６は、カードがプッシャー７１側に戻らないように係止できる位置に戻る方向即ち、各々のカードストッパが倒れる方向と逆方向に不図示のバネにより付勢されている。
【００３９】
また、スタッカボックス部６の内側の取込口６１の上部近傍には、取り込まれたカードがプッシャーで押出される前に倒れないように保持する仮保持手段としてのカードサポート６２が回動可能に取り付けられている。カードサポート６２は、カードを受け入れる位置に復帰するように引っ張りコイルバネ６３により、カードが倒れない程度の力で付勢されている。
【００４０】
第１のバックアッププレート７２は、正常カード集積部６ａに第１のカードストッパ６５、６７と対向して間隙６ｈに取り付けられている。第１のバックアッププレート７２は、底板６ｇを狭持する摺動板７３を圧縮コイルバネ７４により底板６ｇに付勢して取り付けられている。即ち、第１のバックアッププレート７２は、集積されたカードに付勢力を加えることなく保持するように構成されている。また、スタッカボックス部６の左側板６ｆには、作動開始時にサポート手段が所定の位置あることを検知するサポート位置検出手段としてのリミットスイッチ７７が設けられている。これにより、スタッカボックス部６は、正常カード集積部６ａに集積されたカードを第１のカードストッパ６５、６７と第１のバックアッププレート７２との間に確実に挟持することができる。
【００４１】
第２のバックアッププレート７５は、リジェクトカード集積部６ｂに第２のカードストッパ６４、６６と対向して間隙６ｈに取り付けられている。第２のバックアッププレート７５は、第２のカードストッパ６４、６６の方向に引っ張りコイルバネ７６により付勢されている。これにより、第２のバックアッププレート７５は、リジェクトカード集積部６ｂに集積されたカードを取り去ったとしても自動的に初期位置に戻るので、操作が簡便になる。
【００４２】
また、駆動ベース部４には、正常カード集積部６ａがカードで満杯であることを第１のバックアッププレート７２の位置により検出する正常カード満杯検知センサ８０（図３参照）と、リジェクトカード集積部６ｂがカードで満杯であることを第２のバックアッププレート７５の位置により検出する不図示のリジェクトカード満杯検知センサとが取り付けられている。これにより、カード集積装置１は、正常カード集積部６ａ、リジェクトカード集積部６ｂの各々がカードで満杯になったことを検出できる。
【００４３】
図９、図１０を参照してカード集積振分機構６０について説明する。カード集積振分機構６０は、カードを種類に応じて正常カード集積部６ａまたはリジェクトカード集積部６ｂに、鉛直方向に立った状態で水平方向に押出すプッシャー７１を含んで構成されている。  プッシャー７１は、鉛直方向にスライダ７０に取り付けられ、間隙６ｈ（図５参照）を水平方向に往復動可能に構成されている。
【００４４】
図１０に示すように、ベース部３（図３参照）には、ベース部３に対して直立して取り付けられたモータブラケット３２に、プッシャー駆動モータ３３が取り付けられている。そして、プッシャー駆動モータ３３の出力軸にはタイミングプーリ３４が固着されている。またモータブラケット３２には、タイミングプーリ３５が固着された回転軸が回転可能に取り付けられ、この回転軸には、トルクリミッタを内蔵したタイミングプーリ３６が固着されている。タイミングプーリ３４とタイミングプーリ３６には、タイミングベルト３７が巻回され、プッシャー駆動モータ３３の出力軸の回転がタイミングプーリ３５に伝達されるように構成されている。また、駆動ベース４には、タイミングプーリ３８が回転可能に取り付けられている。タイミングプーリ３５とタイミングプーリ３８には、タイミングベルト６９が巻回され、タイミングベルト６９がスライドレール６８と平行に張架されている。
【００４５】
図９に示すように、駆動ベース部４には、水平方向に溝が形成されたスライドレール６８が取り付けられている。スライドレール６８には、スライダ７０が摺動可能に取り付けられている。また、スライダ７０には、タイミングベルト６９の一部が固定されている。さらに、スライダ７０は、プッシャー駆動モータ３３の回転によってスライドレール６８に形成された溝の方向即ち水平方向に往復動可能に構成されている。
【００４６】
さらに、駆動ベース部４には、プッシャー７１の原点位置を検出する原点位置検出センサ７８（図１０参照）と、プッシャー７１の正常カード集積部６ａ方向の移動を検出するプッシャー駆動確認検出センサ７９（図１０参照）とが取り付けられている。
【００４７】
ここで、図１１、図１２及び図１３の模式図を参照して、カード発行システム１００の作用について説明する。
まず、カード発行システム１００は、カード発行装置１０１の電源を投入することで、カード集積装置１にも電力が供給される。これにより、カード集積装置１は、プッシャー７１を原点位置Ｐ１に復帰させる。即ち、原点位置検出センサ７８（図１０参照）がプッシャー７１を検知するまで、プッシャー駆動モータを回転させる。また、カード集積装置１は、取込ローラ駆動モータ４２（図６参照）を取込ローラ４５がカードを取り込む方向に回転（以下この回転方向を正回転という）。させ押込爪５１を待避させる（図１２（ａ）参照）。さらに、カード集積装置１は、バックアッププレート７２又はすでに集積されたカード１０２がリミットスイッチ７７を押しているか確認する。リミットスイッチ７７が押下されていない場合には、その旨をカード発行装置１０１に送信し、カード発行装置１０１の表示部１０９（図２参照）にエラーメッセージを表示させる。これで、カード集積装置１の稼働準備が整った状態になる。
【００４８】
カード発行システム１００は、カード集積装置１の稼働準備が整った際に、カード発行装置１０１によりカードを発行する。図２を参照して、カード発行装置１０１の作用を説明する。まず、カード発行装置１０１は、パソコン１１０からインターフェース１０７を介してまたは、操作部１０８による入力により、カードを発行するのに必要な情報及びカードを発行させる指示が、制御部１０３に入力される。これにより、制御部１０３は、生カード集積部１０４より生カードをリーダライタ１０５へ送る。
【００４９】
生カードを受取ったリーダライタ１０５は、制御部１０３から入力した磁気情報を生カードに書き込む。さらにリーダライタ１０５は、カードから書き込まれた情報を読み出し、カードに書き込まれた磁気情報が正しいか否かを識別し、この識別結果を制御部１０３へ出力する。次にカードは、エンボス処理部１０６へ送られる。カードを受取ったエンボス処理部１０６は、制御部１０３から入力したエンボスする情報例えば氏名、コード等をカードにエンボスする。さらにエンボス処理部１０６は、カードに正しくエンボスがされたか否かを識別し、この識別結果を制御部１０３へ出力する。また制御部１０３は、カードがリジェクトカードの場合には、エンボス処理部１０６によるエンボスを行なわない。
【００５０】
そしてカードは、放出口１０２に送られ、放出（発行）される。この際に、制御部１０３は、カードの放出と、放出するカードが正常カードであるかリジェクトカードであるかの情報とをカード集積装置１に送信する。これを受信したカード集積装置１は、カード取込機構４０（図６参照）を作動させ、カードをカード集積装置１内に取り込む。
【００５１】
図１１に戻って、カード集積装置１の作用について説明する。
まず、発行されたカードが正常カードである場合について説明する。カード集積装置１は、カード発行装置１０１より、放出口１０２（図２参照）から放出するカード１２０が正常カードであることが入力されると、取込ローラ駆動モータ４２（図６参照）を図５中矢印方向、即ち正回転させる。そして、カード発行装置１０１から発行されたカード１２０は、放出口１０２からカードが半分程度放出されると、カード１２０のおよそ上端部が取込ローラ４５と従動ローラ４７に狭持され、取込口６１方向に送られる（図１２（ａ）参照）。このときセンサ５７（図６参照）は、カード１２０の通過によって、オフからオン、そしてまたオフへと遷移する。これによりカード１２０は、スタッカボックス部６内に取り込まれる。
【００５２】
また通常、カード１２０は、取込ローラ４５の回転によりスタッカボックス部６内に取り込まれるが、カード１２０がスタッカボックス部６内に完全に取り込まれずに、スタッカボックス部６からはみ出してしまう場合がある。そこで、センサ５７がオフ状態へ遷移すると、取込ローラ駆動モータ４２が逆回転（正回転と逆方向）し、押込爪５１が取込口６１方向に回転する（図１２（ｂ）参照）。この作用により、カード１２０は、スタッカボックス部６からはみ出している場合であっても、押込爪５１により確実にスタッカボックス部６内に取り込まれる。
【００５３】
図１１（ａ）に示すように、スタッカボックス部６内に取り込まれたカード１２０は、カードサポート６２により仮保持される。そして図１１（ｂ）に示すように、カード集積装置１は、プッシャー駆動モータ３３を回転し、プッシャー７１を正常カード集積部６ａの方向に移動させる。これにより、カード１２０は、プッシャー７１に押され、正常カード集積部６ａの方向に押し込まれる。カード１２０は、プッシャー７１に押されることで、第１のカードストッパ６５、６７を正常カード集積部６ａの方向に倒しながら押し込まれ、第１のバックアッププレート７２に当接する。
【００５４】
さらに図１１（ｃ）に示すように、カード１２０は、プッシャー７１によりさらに正常カード集積部６ａの方向に押し込まれ、第１のカードストッパ６５、６７を乗り越える。第１のカードストッパ６５、６７は、カード１２０が乗り越えると初期位置に復帰する。これによりカード１２０は、第１のカードストッパ６５、６７と第１のバックアッププレート７２の間に保持される。即ち、正常カード集積部６ａに集積される。
【００５５】
またプッシャー７１は、カード１２０が第１のカードストッパ６５、６７を乗り越える位置とほぼ同じ位置Ｐ２まで移動すると、プッシャー駆動確認検出センサ７９（図１０参照）に検出される。カード集積装置１は、プッシャー駆動確認検出センサ７９によりプッシャー７１を検出すると、プッシャー駆動モータ３３を逆回転させ、プッシャー７１をリジェクトカード集積部６ｂ方向に移動し、原点位置Ｐ１に復帰させる。さらに、取込ローラ駆動モータ４２が正回転し、押込爪５１を待避させるとともに取込ローラ４５を正回転させ、次のカードを取り込む準備をする（図１２（ａ）参照）。以下、この動作を繰り返して順次正常カードを正常カード集積部６ａに集積する。
【００５６】
そして、カード集積装置１は、正常カード集積部６ａにカード１２０が満杯に集積されると、正常カード満杯検知センサ８０（図３参照）がバックアッププレート７２を検知して、その旨をカード発行装置１０１に送信する。カード発行装置１０１は、これをカード集積装置１から受信すると、表示部１０９（図２参照）に正常カード集積部６ａが満杯である旨のエラーメッセージを表示する。
【００５７】
次に、図１３に示すように、発行されたカードがリジェクトカードである場合について説明する。図１３（ａ）に示すように、カード集積装置１は、カード発行装置１０１より、放出口１０２（図２参照）から放出するカード１２０がリジェクトカードであることが入力されると、プッシャー７１を正常カード集積部６ａの方向にＰ２の位置まで移動させる。即ち、プッシャー駆動確認検出センサ７９がプッシャー７１を検知するまでプッシャー駆動モータ３３を回転させる。そして、前述の正常カードの場合と同様に、スタッカボックス部６内にカード１２０が取り込まれる。
【００５８】
そして図１３（ｂ）に示すように、カード集積装置１は、プッシャー駆動モータ３３を回転し、プッシャー７１をリジェクトカード集積部６ｂの方向に移動させる。これにより、カード１２０は、プッシャー７１に押され、リジェクトカード集積部６ｂの方向に押し込まれる。カード１２０は、プッシャー７１に押されることで、第２のカードストッパ６４、６６をリジェクトカード集積部６ｂの方向に倒しながら押し込まれ、第２のバックアッププレート７５に当接する。
【００５９】
さらに図１３（ｃ）に示すように、カード１２０は、プッシャー７１によりさらにリジェクトカード集積部６ｂの方向に押し込まれ、第２のカードストッパ６４、６６を乗り越える。第２のカードストッパ６４、６６は、カード１２０が乗り越えると初期位置に復帰する。これによりカード１２０は、第２のカードストッパ６４、６６と第２のバックアッププレート７５の間に保持される。即ち、リジェクトカード集積部６ｂに集積される。
【００６０】
なお、正常カード集積部６ａが満杯になった場合と同様に、リジェクトカード集積部６ｂが満杯になった場合にも、第２のバックアッププレート７５の位置を検知して、その旨をカード発行装置１０１に送信する。カード発行装置１０１は、これをカード集積装置１から受信すると、表示部１０９（図２参照）にリジェクトカード集積部６ｂが満杯である旨のエラーメッセージを表示する。
【００６１】
以上のように本実施の形態によれば、カード発行システム１００は、カード発行装置１０１にカード集積装置１を取り付けることによって、カードを散乱させることなく、発行順に集積することができる。また、カード発行装置１０１では、発行されたリジェクトカードと正常カードとを別個に集積することができるので、誤って不良カード（リジェクトカード）を利用者に渡してしまう危険性を回避することができる。
【００６２】
また、カード集積装置１は、正常カード集積部６ａの第１のバックアッププレート７２を第１のカードストッパ６５、６７方向に付勢していないので、エンボスにより不均一な凹凸が形成されたカードを集積した場合でも、カードに加わる付勢力よるカードの扇状の集積を回避することができる。即ち、付勢力によりスタッカボックス部６からカードがせり上がることがない。
【００６３】
【発明の効果】
以上のように本発明によれば、発行されたカードを集積するカード集積装置において、前記カードを取り込むための取込手段と、前記取り込まれた該カードを種類毎に振り分ける振分手段と、前記振り分けられたカードを集積する集積部と、前記集積されたカードを集積された状態で保持するための保持手段とを備えたので、発行されたカードを種類毎に振分け、集積することで、カードの発行が簡便となるカード集積装置を提供することができる。
【図面の簡単な説明】
【図１】本発明の実施の形態に係るカード発行装置とカード集積装置の外観図である。
【図２】本発明の実施の形態に係るカード発行システムを説明するブロック図である。
【図３】本発明の実施の形態に係るカード集積装置の正面図である。
【図４】図１に示すカード集積装置のカバーを開いたときの平面図である。
【図５】本発明の実施の形態で用いるスタッカボックス部を説明するための斜視図である。
【図６】本発明の実施の形態で用いるカード取込機構を説明するための構造図である。
【図７】図１に示すカード取込機構の駆動を説明するための図である。
【図８】図１に示すカード取込機構を説明するための模式的斜視図である。
【図９】本発明の実施の形態で用いるカード集積機構の構造を説明するための正面図である。
【図１０】図９に示すカード集積機構の構造を説明するための平面図である。
【図１１】本発明の実施の形態で用いるカード集積機構の作用を説明するための図である。
【図１２】図１１と同様の作用を説明する図である。
【図１３】図１１と同様の作用を説明する図である。
【符号の説明】
１  カード集積装置
６  スタッカボックス部
６ａ  正常カード集積部
６ｂ  リジェクトカード集積部
４０  カード取込機構
４５  取込ローラ
４７  従動ローラ
５１  押込爪
６０  カード振分集積機構
６２  カードサポート
６３  引っ張りコイルバネ
６４、６６  第２のカードストッパ
６５、６７  第１のカードストッパ
７１  プッシャー
７２  第１のバックアッププレート
７３  摺動板
７４  圧縮コイルバネ
７５  第２のバックアッププレート
７８  原点位置検出センサ
７９  プッシャー駆動確認検出センサ
１００  カード発行システム
１０１  カード発行装置
【図１】
0004668482.tif 000002
【図２】
0004668482.tif 000003
【図３】
0004668482.tif 000004
【図４】
0004668482.tif 000005
【図５】
0004668482.tif 000006
【図６】
0004668482.tif 000007
【図７】
0004668482.tif 000008
【図８】
0004668482.tif 000009
【図９】
0004668482.tif 000010
【図１０】
0004668482.tif 000011
【図１１】
0004668482.tif 000012
【図１２】
0004668482.tif 000013
【図１３】
0004668482.tif 000014